(57)【要約】 【課題】本発明は、激しい稽古、試合の後であっても、袴の着崩れを起こすことがなく、既存の袴にも取り付けて使用することのできる袴の着崩れ防止具を提供することを目的とするものである。【解決手段】本発明は、左右平坦部及び下平坦部を形成した略三角形状のプレート２と前記プレートを収納する左右平坦部及び下平坦部を形成した略三角形状の収納袋とからなることを特徴とする袴の着崩れ防止具の構成とした。【選択図】  図１
2007009360.tif 000002
【特許請求の範囲】
【請求項１】
左右平坦部及び下平坦部を形成した略三角形状のプレートと前記プレートを収納する左右平坦部及び下平坦部を形成した略三角形状の収納袋とからなることを特徴とする袴の着崩れ防止具。
【請求項２】
請求項１記載の着崩れ防止プレートを袴に取り付けたことを特徴とする袴。
【発明の詳細な説明】
【技術分野】
【０００１】
本発明は、袴を着用した時に体を激しく動くと袴が着崩れするのを防止するための袴の着崩れ防止具及び防止具を取り付けた袴に関する発明である。
【背景技術】
【０００２】
袴には、成人男性用、女性用、子供用の着物としての袴、剣道用の袴などがある。
【０００３】
袴の着崩れとは、袴を着用後、運動、動作により、帯が緩み見映えを損ねることをいう。袴の着崩れを防止するため、特殊な帯の結び方、特殊な形状の帯を用いた袴などの発明が開示されている。
【特許文献１】特開平０９−１８８９０９
【特許文献２】特開平２０００−１４４５０６
【０００４】
しかしながら、いずれも複雑で、煩雑な操作を要する。さらに、既存の袴を使用することができず、新たに袴を購入しなければならない等の問題があった。
【発明の開示】
【発明が解決しようとする課題】
【０００５】
そこで、本発明は、例えば、剣道のような激しい稽古、試合の後であっても、袴の着崩れを起こさない、既存の袴にも使用することのできる袴の着崩れ防止具を提供することを目的とするものである。
【課題を解決するための手段】
【０００６】
本発明は、上記の課題を解決するために、左右平坦部及び下平坦部を形成した略三角形状のプレートと前記プレートを収納する左右平坦部及び下平坦部を形成した略三角形状の収納袋とからなることを特徴とする袴の着崩れ防止具の構成とした。
【発明の効果】
【０００７】
本発明は、以上の構成であるから以下の効果ある。
第１に、帯４ａをきつく締めたとき同じような見映えが良く、しかも着用することにより姿勢がよくなる。
第２に、激しい稽古、試合の後でも着崩れすることがなく、丹田（下腹部）を袴の着崩れ防止具１で押さえるため力が入りやすくなる。その結果、動きが機敏になり剣道の試合時に着用すると有利である。
第３、特殊な袴を新たに購入することなく、手持ちの袴４に取り付けるだけで着崩れを防止でき低廉で極めて経済的である。
【発明を実施するための最良の形態】
【０００８】
一定の厚み、強度をもった略三角形状のプレート２、及び袴４の裏面４ｃであって、帯４ａの位置にマジックテープ（登録商標）などの取り付け具５を有する前記プレート２を収納する収納袋３からなることを特徴とする袴の着崩れ防止具１によって実現した。
【実施例１】
【０００９】
以下、図面に基づいて、本発明である袴の着崩れ防止具１について詳細に説明する。
【００１０】
図１は、本発明である袴の着崩れ防止具と袴の正面図である。本発明である袴の着崩れ防止具１は、略三角形状のプレート２と前記プレート２を収納する略三角形状の収納袋３からなる。
【００１１】
本願発明である袴の着崩れ防止具１は、袴４の上部にある帯４ａの位置、図１に示すように、袴４に逢着されている帯４ａの背面の袴４の背後部分（点線で示した位置）に逢着等により取り付けて使用する。
【００１２】
図２は、本発明である袴の着崩れ防止具の正面図である。図２（Ａ）は、プレート２を収納袋３に収納する前の状態を示す図である。図２（Ｂ）はプレート２を収納袋３に収納してなる袴の着崩れ防止具１の正面図である。一点破線ａ―ａは、図４の断面位置を示し、図３は本発明である袴の着崩れ防止具１の斜視図である。
【００１３】
本願発明である袴の着崩れ防止具１のプレート２は、略三角形状に形成されている。下方の頂部は、平坦に形成されていて水平な下平坦部２ｃがある。これは、頂点部分を鋭利なまま残したのでは、本発明である袴の着崩れ防止具１を取り付けた状態で、袴４を着用して動作するときに下腹部に違和感があるとともに鋭角に頂部が形成されていると危険であるためである。
【００１４】
また、プレート２の上部左右の頂部は、左右の腰骨にあたらないよう胴にほぼ平行に切断する。その結果、左方には左平坦部２ｅが形成されているとともに右方には右平坦部２ｅ、２ｇが形成されている。
【００１５】
例えば、成人男性用プレート２の大きさは、上部幅２ａは５ｃｍ〜２５ｍ、
高さ２ｂは、１０ｃｍ〜１５ｃｍ、下平坦部２ｃの幅２ｄは、２ｃｍから７ｃｍｍ、左平坦部２ｅの長さ２ｆは、１ｃｍから７ｃｍ、右平坦部２ｇの長さ２ｈも同様に１ｃｍから７ｃｍ程度がよい。
【００１６】
プレート２の素材は、汗によるヨレ、運動による変形を防げる強度、破損しても身体に損傷を与えない素材であれば特に限定されない。例えば、プレート２の素材としては、厚紙、プラスチック、木製の板、金属等である。
【００１７】
本願発明である袴の着崩れ防止具１を構成するプレート２を収納する収納袋３は、プレート２と同形状で、プレート２が収納した時には密着状態で収納できる大きさとすることが必要である。
【００１８】
そのために、収納袋３の左端には左平坦部３ｊを、右端には右平坦部３ｋを、下端には下平坦部３ｈを形成する。このように、収納袋３は、プレート２と略相似形でややプレート２が収納可能でやや大きい収納袋３とする。
【００１９】
プレート２に対して、収納袋３が大きすぎると収納袋３に収納されたプレート２が収納袋３の中で移動し、プレート２が袴４の帯４ａが逢着されている袴の背面に取り付けた際に安定せず、着崩れ防止効果が十分に得られない。
【００２０】
収納袋３内でプレート２が移動しないようにするため、収納袋３の一例としては、プレート２の形状よりやや大きい押さえ布３ａと、押さえ布３ａの上部に折り返し部３ｃを有する合わせ布３ｂを重ねて、上辺３ｄを除き、左辺３ｅ、右辺３ｆを一定の強度のある糸で逢着する。
【００２１】
プレート２の左右平坦部２ｅ、２ｇが接触する左平坦部３ｊ及び右平坦部３ｋを上辺３ｄから、折り返し部３ｃ、押さえ布３ａ及び合わせ布３ｂを縫い合わせた縫着部３ｉを有する収納袋３とする。
【００２２】
収納袋３の素材としては、吸水性の高い素材が望ましい。袴４を着用した状態で、激しい運動を行った場合、汗を吸収することで快適さが得られるからである。
【００２３】
例えば、綿、麻、絹、ポリエステル、ナイロンなど一般に衣服として利用される素材であれば特に限定されない。
【００２４】
このようにして、丈夫な収納袋３を容易につくることができる。プレート２を収納袋３に収納するに際し、折り返し部３ｃを持ち上げ、やや強引にプレート２を縫い合わせていない上辺３ｄから収納袋３の内部に滑り込ませる。
【００２５】
なお、収納袋３の内部に、プレート２を予め閉じ込めて、袴の着崩れ防止具１を作成することも可能である。しかし、本発明である袴の着崩れ防止具１を使用後に洗浄することを考慮すると、また、特に硬質なプレート２を用いた場合、洗濯機の洗濯槽を傷つけ、破損することも考えられる。従って、プレート２は収納袋３から容易に取り外せる形状が望ましい。
【００２６】
折り返し部３ｃに先端部３ｇを設けることで、プレート２を収納袋３に入れやすくなる。プレート２の下平坦部２ｃを収納袋３の上辺３ｄに押し込み、折り返し部３ｃの先端部３ｇを手で引き上げると上辺３ｄがよく開口するためである。
【００２７】
また、収納袋３を用いず、直接袴４の裏面４ｃにプレート２を取り付けることもできる。しかし、プレート２が金属など硬質の素材よりなる場合、プレート２を直接袴４に取り付けると、プレート２と身体との密着部に汗が溜まり、不快であるので好ましくない。
【００２８】
また、プレート２の各平坦部２ｃ、２ｅ、２ｇが動作の態様によっては、身体に押しあたり痛みを与えることもあるため好ましくない。
【００２９】
ここで、示す収納袋３は本発明である袴の着崩れ防止具１の一例であり、例えば、袴４の裏面４ｃに、プレート２をタイトに収納できるポケットのような構造を作ることによっても、本発明の着崩れ防止効果が得られる。
【００３０】
図４は、本発明である袴の着崩れ防止具の図２（Ｂ）のａ―ａ位置での断面図である。なお、折り返し部３ｃが位置する方が、胴体側６である。
【００３１】
プレート２の厚さ２ｉは、折れ曲がったりしないような厚さであることが望ましい。本発明である袴の着崩れ防止具１を取り付けた袴４の着用に際して違和感がなく激しい動きにより折れ曲がらないようにするためである。
【００３２】
縁２ｊは、面取り（丸く）形成することが望ましい。本発明である袴の着崩れ防止具１を取り付けた袴４の着用に際して、より違和感を低下させるとともに、けがをしないようにするためである。
【００３３】
図５は、本発明である袴の着崩れ防止具を装着した袴の背面図である。図６は、本発明である袴の着崩れ防止具を装着した袴の側面断面図である。図面向かって左側が袴４を着用したときの前面４ｂ、右側が背面４ｄ、下が裾４ｅである。
【００３４】
本発明である袴の着崩れ防止具１を取り付け位置は、袴４の裏面４ｃであって、帯４ａの上部にそった位置とする。そして、プレート２が下腹部に、違和感なく収まるようにする。
【００３５】
なお、折り返し部３ｃがある面を胴体側６するとよい。袴の着崩れ防止具１を構成する収納袋３を袴４に取り付けたままで、プレート２の出し入れが可能であること、収納袋３を袴４とともに洗濯できるなどの利点がある。
【００３６】
取り付け方法は、本発明である袴の着崩れ防止具１を、丈夫な糸などで直接、袴４の裏面４ｃの所定位置に縫い付けることも可能である。しかし、洗濯を考慮するとボタン、スナップ（ホック）、マジックテープ（登録商標）などの取り外し容易な取り付け具５で取り付けることが望ましい。
【図面の簡単な説明】
【００３７】
【図１】本発明である袴の着崩れ防止具と袴の正面図である。
【図２】本発明である袴の着崩れ防止具の正面図である。
【図３】本発明である袴の着崩れ防止具の斜視図である。
【図４】本発明である袴の着崩れ防止具の断面図である。
【図５】本発明である袴の着崩れ防止具を装着した袴の背面図である。
【図６】本発明である袴の着崩れ防止具を装着した袴の側面断面図である。
【符号の説明】
【００３８】
１      袴の着崩れ防止具
２      プレート
２ａ    上部幅
２ｂ    高さ
２ｃ    下平坦部
２ｄ    幅
２ｅ    左平坦部
２ｆ    長さ
２ｇ    右平坦部
２ｈ    長さ
２ｉ    厚さ
２ｊ    縁
３      収納袋
３ａ    押さえ布
３ｂ    合わせ布
３ｃ    折り返し部
３ｄ    上辺
３ｅ    左辺
３ｆ    右辺
３ｇ    先端部
３ｈ    下平坦部
３ｉ    縫着部
３ｊ    左平坦部
３ｋ    右平坦部
４      袴
４ａ    帯
４ｂ    前面
４ｃ    裏面
４ｄ    背面
４ｅ    裾
５      取り付け具
６      胴体側
【図１】
2007009360.tif 000003
【図２】
2007009360.tif 000004
【図３】
2007009360.tif 000005
【図４】
2007009360.tif 000006
【図５】
2007009360.tif 000007
【図６】
2007009360.tif 000008